(57)【要約】      （修正有） 【課題】木材などねじやビスの締め付け時、頭部で折損したねじやビスを容易、かつ迅速に抜き取れるようにした折損ねじ等の抜き取り方法及びその工具の提供。  【解決手段】インパクトレンチ等の電動工具にてこ機構やトグル機構等で下端部のクランプ部３を閉じるようにした抜き取り工具１を取り付けて、クランプ部３の下端部を折損したねじやビスの締着具４のまわりに挿入して抜き取り工具１を締着具４のねじ込み方向と逆方向に電動工具を駆動旋回して折損した締着具４をクランプ部３でクランプし、抜き取り工具１を締着具のねじ込み方向と逆方向にさらに旋回駆動して折損したねじやビスの締着具４を抜き取るようにしている。ねじ頭部で折損して木材などに埋設状態となった場合には、電動工具に下端面の中央部が所定深さ開口した孔明け工具を取り付けて、ねじ頭部で折損したねじやビスの締着具４のまわりを所定深さ切削開口して、抜き取る。  【選択図】図１
2006035324.tif 000002
【特許請求の範囲】
【請求項１】
木材やプラスチック材、ＡＬＣ材、コンクリート材、アルミニューム材、鉄材にねじ
やビスの締着具を螺着するときに、頭部で折損したねじやビスの締着具を抜き取るための
折損ねじ等の抜き取り方法であって、
インパクトレンチ等の電動工具にてこ機構やトグル機構等のリンク機構で下端部のク
ランプ部を閉じるようにした抜き取り工具を取り付けて、上記クランプ部の下端部を折損
したねじやビスの締着具のまわりに挿入して抜き取り工具をねじやビスの締着具のねじ込
み方向と逆方向に電動工具を駆動旋回して折損したねじやビスの締着具をクランプ部でク
ランプし、
抜き取り工具をねじやビスの締着具のねじ込み方向と逆方向にさらに旋回駆動して折
損したねじやビスの締着具を抜き取ることを特徴とする折損ねじ等の抜き取り方法。
【請求項２】
木材やプラスチック材、ＡＬＣ材、コンクリート材、アルミニューム材、鉄材にねじ
やビスの締着具を螺着するときに、頭部で折損して木材やプラスチック材、ＡＬＣ材、コ
ンクリート材、アルミニューム材、鉄材に埋設状態となったねじやビスの締着具を抜き取
るための折損ねじ等の抜き取り方法であって、
インパクトレンチ等の電動工具に下端面の中央部が所定深さ開口した孔明け工具を取
り付けて、頭部で折損したねじやビスの締着具のまわりを所定深さ切削開口し、
ついでインパクトレンチ等の電動工具にてこ機構やトグル機構等のリンク機構で下端
部のクランプ部を閉じるようにした抜き取り工具を取り付けて、上記クランプ部の下端部
を折損したねじやビスの締着具のまわりに挿入して抜き取り工具をねじやビスの締着具の
ねじ込み方向と逆方向に電動工具を駆動旋回して折損したねじやビスの締着具をクランプ
部でクランプし、抜き取り工具をねじやビスの締着具のねじ込み方向と逆方向にさらに旋
回駆動して折損したねじやビスを抜き取ることを特徴とする折損ねじ等の抜き取り方法。
【請求項３】
木材やプラスチック材、ＡＬＣ材、コンクリート材、アルミニューム材、鉄材にねじ
やビスの締着具を螺着するときに、頭部で折損したねじを抜き取るための折損ねじ等の抜
き取り工具であって、
この抜き取り工具本体の上部側にインパクトレンチ等の電動工具や手動工具に着脱可
能な駆動軸部を旋回駆動可能に設け、抜き取り工具本体の中央部分から下方に折損したね
じやビスの締着具を挟持可能にクランプ部を拡縮自在に枢着し、上記駆動軸部にクランプ
拡縮用のねじ部を設けてクランプ拡縮用のねじ部の締弛によってクランプ部の先端部を抜
き取り工具本体に拡縮自在に形成したことを特徴とする折損ねじ等の抜き取り工具。
【請求項４】
木材やプラスチック材、ＡＬＣ材、コンクリート材、アルミニューム材、鉄材にねじ
やビスの締着具を螺着するときに、頭部で折損して木材やプラスチック材、ＡＬＣ材、コ
ンクリート材、アルミニューム材、鉄材に埋設状態となったねじやビスの締着具を抜き取
るための折損ねじ等の抜き取り用孔明け工具であって、
この孔明け工具の上部側をインパクトレンチ等の電動工具や手動工具に着脱自在な駆
動軸部を設け、下端面の中央部に折損したねじやビスの締着具のまわりに挿入可能な所定
径、所定深さの開口部を設けるとともに、この下端面に折損したねじやビスの締着具のま
わりの木材やプラスチック材、ＡＬＣ材、コンクリート材、アルミニューム材、鉄材を切
削開口可能に切刃を設けたことを特徴とする折損ねじ等の抜き取り用孔明け工具。
【発明の詳細な説明】
【技術分野】
【０００１】
本発明は、ねじやビス等の締着分野における折損ねじ等の抜き取り方法およびその工
具に関するものである。
【背景技術】
【０００２】
建築工事において、木材同志を釘で打ち付けて組み立てたり、張り付けることが行わ
れているが、近年木造建築で従来使用されていた釘から十字穴付ねじやビスの使用への移
行が顕著になってきている。
【０００３】
また、インパクトレンチや電動ドリル等の電動工具の性能が高まってその締め付け力
が強くなり、締め付け部材が硬い場合などに、上記したねじやビスの締め付け途中でねじ
やビスの頭部で折損することが発生している。
【０００４】
このようにねじやビスが締め付け途中で折損すると、部材同志の締め付けが不完全と
なったり、部材間に隙間を残したままの状態となり、建築物の耐震性や耐久性の面から折
損したねじやビスを抜き取って新たにねじやビスを締め付ける必要がある。
【０００５】
しかし、従来の釘については、釘抜き工具が利用されているが、ねじやビスの折損に
ついては、折れたねじ部を掴めない場合には、のみなどで折損したねじの周りを削り込ん
でペンチなどで折損したねじやビスを掴んでねじ込み方向と逆方向に回して抜いている状
態である。そのため、折損したねじやビスを抜き取ることが、容易でなく、作業に停滞が
生じるものであった。
【０００６】
上記のようなねじの締め付け時に折損したねじの除去について特許調査した結果、特
開２００１−２８７１７３号公報が検索された。
【０００７】
上記特開２００１−２８７１７３号公報は、ねじ穴に螺合させたねじが切断され、頭
部を有しないねじの軸部がねじ穴に螺合した状態で残存したときに、該ねじの残存部をね
じ穴から容易に除去するもので、補助具本体の一端に凹部を形成して、その凹部から補助
本体の他端側に至る案内透孔を補助具本体の一端側の端面に直交する方向に形成して、ね
じの残存部における中心線と一致させた状態でドリルを案内透孔に挿入して開孔して適宜
の工具でねじの残存部を掘り出すものである。
【０００８】
しかし、これは、切断したねじの残存部に中心孔を開孔し、切断したねじの残存部を
適宜の工具で突っついたりして細かく破損させてねじ穴から掘り出すもので、ねじを破損
するのは容易でなく、手間がかかって時間がかかるものである。
【特許文献１】特開２００１−２８７１７３号公報
【発明の開示】
【発明が解決しようとする課題】
【０００９】
本発明の解決しようとする課題は、木材等をねじやビス等で締め付けるときにその頭
部で折損した場合、折損したねじやビスを容易かつ迅速に抜き取って業務の能率を向上で
きるようにすることにある。
【課題を解決するための手段】
【００１０】
本発明は、上記のような点に鑑みたもので、上記の課題を解決するために、木材やプ
ラスチック材、ＡＬＣ材、コンクリート材、アルミニューム材、鉄材にねじやビスの締着
具を螺着するときに、頭部で折損したねじやビスの締着具を抜き取るための折損ねじ等の
抜き取り方法であって、インパクトレンチ等の電動工具にてこ機構やトグル機構等のリン
ク機構で下端部のクランプ部を閉じるようにした抜き取り工具を取り付けて、上記クラン
プ部の下端部を折損したねじやビスの締着具のまわりに挿入して抜き取り工具をねじやビ
スの締着具のねじ込み方向と逆方向に電動工具を駆動旋回して折損したねじやビスの締着
具をクランプ部でクランプし、抜き取り工具をねじやビスの締着具のねじ込み方向と逆方
向にさらに旋回駆動して折損したねじやビスの締着具を抜き取ることを特徴とする折損ね
じ等の抜き取り方法を提供するものである。
【００１１】
また、木材やプラスチック材、ＡＬＣ材、コンクリート材、アルミニューム材、鉄材
にねじやビスの締着具を螺着するときに、頭部で折損して木材やプラスチック材、ＡＬＣ
材、コンクリート材、アルミニューム材、鉄材に埋設状態となったねじやビスの締着具を
抜き取るための折損ねじ等の抜き取り方法であって、インパクトレンチ等の電動工具に下
端面の中央部が所定深さ開口した孔明け工具を取り付けて、頭部で折損したねじやビスの
締着具のまわりを所定深さ開口し、ついでインパクトレンチ等の電動工具にてこ機構やト
グル機構等のリンク機構で下端部のクランプ部を閉じるようにした抜き取り工具を取り付
けて、上記クランプ部の下端部を折損したねじやビスの締着具のまわりに挿入して抜き取
り工具をねじやビスの締着具のねじ込み方向と逆方向に電動工具を駆動旋回して折損した
ねじやビスの締着具をクランプ部でクランプし、抜き取り工具をねじやビスの締着具のね
じ込み方向と逆方向にさらに旋回駆動して折損したねじやビスを抜き取ることを特徴とす
る折損ねじ等の抜き取り方法を提供するものである。
【００１２】
さらに、木材やプラスチック材、ＡＬＣ材、コンクリート材、アルミニューム材、鉄
材にねじやビスの締着具を螺着するときに、頭部で折損したねじを抜き取るための折損ね
じ等の抜き取り工具であって、この抜き取り工具本体の上部側にインパクトレンチ等の電
動工具や手動工具に着脱可能な駆動軸部を旋回駆動可能に設け、抜き取り工具本体の中央
部分から下方に折損したねじやビスの締着具を挟持可能にクランプ部を拡縮自在に枢着し
、上記駆動軸部にクランプ拡縮用のねじ部を設けてクランプ拡縮用のねじ部の締弛によっ
てクランプ部の先端部を抜き取り工具本体に拡縮自在に形成したことを特徴とする折損ね
じ等の抜き取り工具を提供するものである。
【００１３】
さらにまた、木材やプラスチック材、ＡＬＣ材、コンクリート材、アルミニューム材
、鉄材にねじやビスの締着具を螺着するときに、頭部で折損して木材やプラスチック材、
ＡＬＣ材、コンクリート材、アルミニューム材、鉄材に埋設状態となったねじやビスの締
着具を抜き取るための折損ねじ等の抜き取り用孔明け工具であって、この孔明け工具の上
部側をインパクトレンチ等の電動工具や手動工具に着脱自在な駆動軸部を設け、下端面の
中央部に折損したねじやビスの締着具のまわりに挿入可能な所定径、所定深さの開口部を
設けるとともに、この下端面に折損したねじやビスの締着具のまわりの木材やプラスチッ
ク材、ＡＬＣ材、コンクリート材、アルミニューム材、鉄材を切削開口可能に切刃を設け
たことを特徴とする折損ねじ等の抜き取り用孔明け工具を提供するものである。
【発明の効果】
【００１４】
本発明は、インパクトレンチ等の電動工具にてこ機構やトグル機構等のリンク機構で
下端部のクランプ部を閉じるようにした抜き取り工具を取り付けて、上記クランプ部の下
端部を折損したねじやビスの締着具のまわりに挿入して抜き取り工具をねじやビスの締着
具のねじ込み方向と逆方向に電動工具を駆動旋回して折損したねじやビスの締着具をクラ
ンプ部でクランプするので、木材やプラスチック材、ＡＬＣ材、コンクリート材、アルミ
ニューム材、鉄材にねじやビスの締着具を螺着するときに、その頭部で折損しても、ねじ
部を容易にクランプできる。そして、抜き取り工具をそのねじやビスの締着具のねじ込み
方向と逆方向にさらに旋回駆動することによって、折損したねじやビスを容易かつ迅速に
抜き取ることができる。
【００１５】
また、木材やプラスチック材、ＡＬＣ材、コンクリート材、アルミニューム材、鉄材
にねじやビスの締着具を螺着するときに、頭部で折損して木材やプラスチック材、ＡＬＣ
材、コンクリート材、アルミニューム材、鉄材に埋設状態となった場合であっても、イン
パクトレンチ等の電動工具に下端面の中央部が所定深さ開口した孔明け工具を取り付けて
、頭部で折損したねじやビスの締着具のまわりを所定深さ切削開口し、ついでインパクト
レンチ等の電動工具にてこ機構やトグル機構等のリンク機構で下端部のクランプ部を閉じ
るようにした抜き取り工具を取り付けて、上記クランプ部の下端部を折損したねじやビス
の締着具のまわりに挿入して抜き取り工具をねじやビスの締着具のねじ込み方向と逆方向
に電動工具を駆動旋回して折損したねじやビスの締着具をクランプ部でクランプし、抜き
取り工具をねじやビスの締着具のねじ込み方向と逆方向にさらに旋回駆動することで、折
損したねじやビスを容易かつ迅速に抜き取ることができる。
【００１６】
さらに、抜き取り工具本体の上部側にインパクトレンチ等の電動工具や手動工具に着
脱可能な駆動軸部を旋回駆動可能に設け、抜き取り工具本体の中央部分から下方に折損し
たねじやビスの締着具を挟持可能にクランプ部を拡縮自在に枢着し、上記駆動軸部にクラ
ンプ拡縮用のねじ部を設けて、クランプ拡縮用のねじ部の締弛によってクランプ部の先端
部を抜き取り工具本体に拡縮自在に形成することによって、上記のように折損したねじ部
を容易かつ迅速にクランプできる。
【００１７】
またさらに、孔明け工具本体の上部側にインパクトレンチ等の電動工具や手動工具に
着脱可能な駆動軸部を設け、下端面の中央部に折損したねじやビスの締着具のまわりに挿
入可能な所定径、所定深さの開口部を設けるとともに、この下端面に折損したねじやビス
の締着具のまわりの木材やプラスチック材、ＡＬＣ材、コンクリート材、アルミニューム
材、鉄材を切削開口可能に切刃を設けたことによって、折損したねじやビスのまわりの木
材やプラスチック材、ＡＬＣ材、コンクリート材、アルミニューム材、鉄材を切削開口で
きて、上記のようにクランプで折損したねじ部を容易にクランプでき、折損したねじやビ
スを容易かつ迅速に抜き取ることができる。
【発明を実施するための最良の形態】
【００１８】
本発明の折損ねじ等の抜き取り方法およびその工具は、インパクトレンチ等の電動工
具にてこ機構やトグル機構等のリンク機構で下端部のクランプ部を閉じるようにした抜き
取り工具を取り付けて、上記クランプ部の下端部を折損したねじやビスの締着具のまわり
に挿入して抜き取り工具をねじやビスの締着具のねじ込み方向と逆方向に電動工具を駆動
旋回して折損したねじやビスの締着具をクランプ部でクランプし、抜き取り工具をねじや
ビスの締着具のねじ込み方向と逆方向にさらに旋回駆動して折損したねじやビスの締着具
を抜き取ることを特徴としている。
【００１９】
また、インパクトレンチ等の電動工具に下端面の中央部が所定深さ開口した孔明け工
具を取り付けて、頭部で折損したねじやビスの締着具のまわりを所定深さ切削開口し、つ
いでインパクトレンチ等の電動工具にてこ機構やトグル機構のリンク機構等で下端部のク
ランプ部を閉じるようにした抜き取り工具を取り付けて、上記クランプ部の下端部を折損
したねじやビスの締着具のまわりに挿入して抜き取り工具をねじやビスの締着具のねじ込
み方向と逆方向に電動工具を駆動旋回して折損したねじやビスの締着具をクランプ部でク
ランプし、抜き取り工具をねじやビスの締着具のねじ込み方向と逆方向にさらに旋回駆動
して折損したねじやビスを抜き取ることを特徴としている。
【００２０】
折損ねじ等の抜き取り工具１は、図１（ａ）、（ｂ）、図２（ａ）、（ｂ）のように
工具本体２にクランプ部３を拡縮自在に枢着して折損したねじやビス、ねじ釘、セルフド
リリングねじの締付具４を挟持して掴むようにしているもので、この工具本体２の上部側
に工具取付用の駆動軸部５を垂設してインパクトレンチや電動ドリル等の電動工具（図示
せず）に着脱自在に装着できるようにしている。
【００２１】
上記工具本体２には、図１（ａ）、（ｂ）のように駆動軸部５を支持材６を介して装
着しているとともに、この駆動軸部５の下部に所定のピッチのねじ部７を刻設してその下
端部をクランプ部３の拡縮支持部８に接続し、拡縮支持部８を昇降移動してクランプ部３
をてこ機構やトグル機構等のリンク機構で拡縮できるようにしている。
【００２２】
この拡縮支持部８は、図１（ａ）、（ｂ）、図２（ａ）のように一対のほぼ台形板状
として工具本体２の両面にそれぞれ配設し、その中央部を上記したように駆動軸部５の下
端部にピン９を介して接続し、その両側部にリベット等の連結ピン１０を取着してその内
側にクランプ部３の両側の下方にいくにしたがって絞るように折曲した折曲部１１の外側
面を当接状態として挾着し、このクランプ部３の上端部の両側を工具本体２にボルト・ナ
ットの枢支具１２で枢支して、駆動軸部５の旋回駆動によってクランプ部３を拡縮自在と
しているものである。
【００２３】
また、折損ねじ等の抜き取り工具１としては、図３（ａ）、（ｂ）のように下方にい
くにしたがって小径とした切頭円錐台形状や台板状の工具本体２に駆動軸部５を挿着し、
その両側のテーパー状としたテーパー面１３にクランプ部３の両側を摺動可能に当接し、
クランプ部３の両側の下方側部を拡縮摺動部８にそれぞれリベット等の枢支具１４で枢支
して、その拡縮支持部８の中央部に上記した駆動軸部５の下端部をピン９を介して連結し
て、駆動軸部５を旋回駆動することによってクランプ部３を拡縮自在してその上端部締着
具４を挟持して掴めるようにすることもできるものである。
【００２４】
なお、クランプ部３は、上記したように２つ爪状のものが簡単で好ましいが、ドリル
チャックのように３つ爪や４つ爪等の複数爪の十分に剛性のあるものとすることもでき、
必要によりばね材を装着して常に拡がるように押圧付勢することもできる。また、ねじや
ビスの締着具４の口径やねじピッチ等に対応して適宜な寸法のものを採択することができ
る。さらに、クランプ部３の下端の固着部には、締着具４の滑り止めなどの適宜な手段を
採択することができる。
【００２５】
また、折損ねじ等の抜き取り用孔明け工具１５は、木材やプラスチック材、ＡＬＣ材
、コンクリート材、アルミニューム材、鉄材に埋設状態で折損したねじやビス、ねじ釘、
セルフドリリングねじの締着具４のまわりを切削開口して上記した抜き取り工具１を利用
できるようにするもので、図４のように孔明け工具本体１６の上部側に工具取付用の駆動
軸部１７を着脱可能等に取着し、その下部の中央部に折損した締着具４を挿入できる所定
径、所定深さの開口部１８を開口している。そしてその下端面に切刃１９を設けて、折損
した締着具４のまわりを切削開口できるようにし、上記した抜き取り工具１のクランプ部
３でねじやビス２の締着具４を挾着して抜き出せるようにしている。
【００２６】
この孔明け工具１５の開口径、下端の外径は、締着具４のねじ口径に対応して開口す
ることができ、また下端の切刃１９は図のように対向して設けるほかに、エンドミルのよ
うに周設することもでき、さらに内側に下方にやや突き出した位置決め刃２０を突設する
のが、孔明け工具１５によって折損した締着具４のまわりに正確にかつ迅速に位置決めで
きて円滑に切削開口することができて好ましい。
【実施例】
【００２７】
図１、図２は、本発明の折損ねじの抜き取り工具１の一実施例を示すもので、全長が
ほぼ１３０ｍｍのもので、工具本体２の上部側に駆動軸部５をその下部に左ねじを刻設し
て装着し、下部側に左右一対としたクランプ部３を装着し、駆動軸部５をインパクトレン
チの電動工具に装着して旋回駆動すると、クランプ部３をてこ機構のリンク機構を介して
左右方向に拡縮するようにしている。
【００２８】
そのため、図１（ａ）、（ｂ）のように建築物の木材同志に長ねじの締着具４を締め
付けて頭部が折損すると、インパクトレンチの電動工具を操作して先ずクランプ部３の下
端２１を開き、ついで折損した締着具４の上部から締着具４を挟むようにクランプ部３の
下端２１を位置する。そして、電動工具を左回転で駆動すると、駆動軸部５が旋回してク
ランプ部３の拡縮支持部８を上昇してクランプ部３の下端２１を縮小して締着具４の側部
をクランプし、クランプ部３の縮小が止まると工具本体２の全体が自動的に左旋回して締
着具４を抜き取ることができる。
【００２９】
このように、たとえねじやビスの頭部が折損しても、抜き取り工具を電動工具に装着
して電動工具をＯＮ、ＯＦＦの操作で一連して行うことで、折損した締着具を容易、かつ
迅速に抜き取ることができ、業務の遂行の能率を向上できる。
【００３０】
特に、クランプ部３の下端２１を図２（ｂ）のようにその断面をコ字状として、その
角部で締着具４のねじ該設部を掴むようにしているため、締着具４を強固に挾着できて確
実に抜き取ることができる。
【００３１】
図３（ａ）、（ｂ）は、本発明の折損ねじの抜き取り工具１の他の実施例を示すもの
で、工具本体２の側面を下方にいくにしたがって狭く傾斜したテーパー面１３として、こ
の両側のテーパー面１３にクランプ部３の両側をそれぞれ当接し、てこ機構によって上記
と同じようにクランプ部３を拡縮して折損した締着具４を抜き取れるようにしたものであ
る。
【００３２】
本実施例では、クランプ部の構成部材をできるだけ削減でき、組み立てが簡単となっ
てコストの低減がはかれる。
【００３３】
図４（ａ）〜（ｃ）は、本発明の他の実施例のもので、木材やプラスチック材に埋設
状態で折損したねじやビスの締着具４のまわりを開口して、上記した抜き取り工具１を利
用できるようにしたものである。
【００３４】
この折損ねじの抜き取り用孔明け工具１５は、全長がほぼ８０ｍｍのもので、図４（
ａ）〜（ｃ）のように孔明け工具本体１６の上部側に駆動軸部１７を着脱可能に取着し、
その下部の中央部に５ｍｍ径、２０ｍｍ深さの開口部１８を開口している。そして、その
下端面に切刃１９を設けるとともに、その内側に下方にやや突き出して位置決め刃２０を
突設していて、折損した締着具４のまわりを円滑に切削開口するようにしている。そのた
め、折損した締着具４のまわりを正確に切削開口できて、上記した抜き取り工具１のクラ
ンプ部３で折損したねじの締着具４を挾着して抜き出すことができる。
【００３５】
なお、上記では、炭素工具鋼や高速度鋼を用いて製造するようにしているが、必要に
より超硬合金鋼等で製造することもでき、またクランプ部や孔明け工具本体を超硬合金鋼
等を用いて１〜２ｍｍのできるだけ薄くし、通常使用する３〜６ｍｍ口径のねじやビスの
折損した締着具のまわりをできるだけ小さく開口して抜き取るようにするのが好ましい。
【００３６】
また上記では、インパクトレンチの電動工具を利用したが、手動式のレンチ工具等の
手動工具に装着して旋回することもでき、また駆動軸部に電動工具のビットを挿脱して旋
回駆動する構造としたりするなど、本発明の趣旨にもとづいて適宜の変形態様のものを実
施することができる。
【図面の簡単な説明】
【００３７】
【図１】本発明の一実施例の正面図（ａ）と側面図（ｂ）、
【図２】同上の底面図（ａ）とクランプ部の下端部の拡大底面図（ｂ）、
【図３】同上の他の実施例の正面図（ａ）と側面図（ｂ）、
【図４】同上のさらに他の実施例の正面図（ａ）、工具本体側面図（ｂ）とその底面図（ｃ）。
【符号の説明】
【００３８】
１…抜き取り工具    ２…工具本体      ３…クランプ部      ４…締付具
５…駆動軸部        ６…支持材        ７…ねじ部          ８…拡縮支持部
15…孔明け工具      16…工具本体      17…駆動軸部
【図１】
2006035324.tif 000003
【図２】
2006035324.tif 000004
【図３】
2006035324.tif 000005
【図４】
2006035324.tif 000006